(57)【要約】      （修正有）【課題】振動感が実現可能であり、構成が簡単でサイズがより小さい二共振振動モータを提供する。【解決手段】ケーシング内に設置された振動部材と、ケーシング内に固定されたコイルと、振動部材を弾性支持する弾性接続具１０８、１０９とを含む振動モーターであって、振動部材は、質量ブロック、質量ブロックに収容された第１の磁性鋼組及び第２の磁性鋼組を含む。コイルは、前記第１の磁性鋼組に対向して設置された第１のコイル１０６と、第２の磁性鋼組に対向して設置された第２のコイル１０７とを含む。第１の磁性鋼組と第１のコイルによって生成した駆動力は、該振動モーターを第１の方向Ｘに沿って振動させ、第２の磁性鋼組と第２のコイルによって生成した駆動力は、該振動モーターを第２の方向Ｙに沿って振動させ、第１の方向は第２の方向と交差する。【選択図】図２
2017094317.tif 000002
【特許請求の範囲】
【請求項１】
ケーシングと、前記ケーシング内に設置された振動部材と、前記ケーシング内に固定されたコイルと、前記振動部材を弾性支持するための弾性接続具とを含む振動モーターであって、
前記ケーシングは、対向設置された第１の側壁及び第２の側壁を含み、
前記振動部材は、質量ブロック、前記質量ブロック内に収容された第１の磁性鋼組及び第２の磁性鋼組を含み、前記質量ブロックは、前記第１の側壁に近い第１の側面及び前記第２の側壁に近い第２の側面を有し、
前記コイルは、前記第１の磁性鋼組に対向して設置された第１のコイルと、前記第２の磁性鋼組に対向して設置された第２のコイルとを含み、
前記弾性接続具は、第１の弾性接続具と第２の弾性接続具とを含み、前記第１の弾性接続具は、前記第１の側壁に接続された第１の固定部、及び前記第１の固定部から折り曲げ延びると共に前記質量ブロックの第２の側面に接続された第１の接続部を有し、前記第２の弾性接続具は、前記第２の側壁に接続された第２の固定部、及び前記第２の固定部から折り曲げ延びると共に前記質量ブロックの第１の側面に接続された第２の接続部を有し、
前記第１の磁性鋼組と前記第１のコイルによって生成された駆動力は、該振動モーターを第１の方向に沿って振動させ、前記第２の磁性鋼組と前記第２のコイルによって生成された駆動力は、該振動モーターを第２の方向に沿って振動させ、前記第１の方向は前記第２の方向と交差することを特徴とする振動モーター。
【請求項２】
前記第１の方向は、前記第１の側壁及び前記第２の側壁の延在方向に平行し、前記第２の方向は、前記第１の方向に垂直することを特徴とする請求項１に記載の振動モーター。
【請求項３】
前記第１の磁性鋼組の磁化方向は、前記第１の方向に垂直し、前記第２の磁性鋼組の磁化方向は前記第２の方向に垂直することを特徴とする請求項２に記載の振動モーター。
【請求項４】
前記振動モーターは、前記弾性接続具と前記質量ブロックとの間に設置された複数の減衰部材をさらに含むことを特徴とする請求項１に記載の振動モーター。
【請求項５】
前記第１の接続部と前記第２の接続部とが交差して設置されることにより、前記第１の接続部、第２の接続部及び質量ブロックの間に収容空間が形成され、
前記減衰部材は、前記第１の側壁と前記質量ブロックの第１の側面との間に、及び、前記第２の側壁と前記質量ブロックの第２の側面との間に設置された第１の減衰部材と、前記収容空間内に設置された第２の減衰部材とを含むことを特徴とする請求項４に記載の振動モーター。
【請求項６】
前記第１の減衰部材は、前記質量ブロックに嵌め込むと共に前記質量ブロックと係合する嵌入部を有し、且つ前記第１の減衰部材の、前記第１の側壁又は前記第２の側壁に向かう表面と前記第１の側壁又は前記第２の側壁との間には隙間があることを特徴とする請求項５に記載の振動モーター。
【請求項７】
前記第１の減衰部材の、前記第１の側壁又は前記第２の側壁に向かう表面は、弧状をなしていることを特徴とする請求項６に記載の振動モーター。  
【発明の詳細な説明】
【技術分野】
【０００１】
本発明は、消費電子用の振動モーターに関し、特に二共振振動モーターに関する。
【背景技術】
【０００２】
電子技術の発展に伴い、携帯型の消費電子製品はますます人々に好まれるようになっており、例えば、携帯電話、携帯ゲーム機、ナビゲーション装置又は携帯型マルチメディア娯楽デバイスなどにおいては、通常、振動モーターがシステムのフィードバックとして用いられており、例えば、携帯電話の着信通知、メッセージの通知、ナビゲーション情報の通知、ゲーム機の振動レスポンスなどが挙げられる。このような幅広い応用では、性能がよく、使用寿命が長く、寸法が小さい振動モーターが求められている。
【０００３】
従来、携帯型の消費電子製品に応用された振動モーターとして、一般的に、ケーシングと、前記ケーシングと組み合わせて収容空間を形成するベースと、当該収容空間内に収容固定された単一の振動系統とを備える。１つの振動系統は、１つの固有の共振周波数のみを有するため、このような従来の構成の振動モーターも１つの共振周波数のみを有する。もしこのような振動モーターが応用された端末において、二つの共振周波数を実現する必要があれば、２つの振動モーターを使用するしかない。そうすると、振動モーターが占める空間は大幅に広くなり、現在、端末のコンパクト化への進化に不利である。
【０００４】
従って、前記課題を解決するために、新型の振動モーターを提供することが必要になっている。
【発明の概要】
【発明が解決しようとする課題】
【０００５】
本発明は、二共振振動モーターを提供することを目的とする。
【課題を解決するための手段】
【０００６】
本発明の技術方案は、以下の通りである。振動モーターであって、ケーシングと、前記ケーシング内に設置された振動部材と、前記ケーシング内に固定されたコイルと、前記振動部材を弾性支持するための弾性接続具とを含み、  
前記ケーシングは、対向設置された第１の側壁及び第２の側壁を含み、
前記振動部材は、質量ブロック、前記質量ブロック内に収容された第１の磁性鋼組及び第２の磁性鋼組を含み、前記質量ブロックは、前記第１の側壁に近い第１の側面及び前記第２の側壁に近い第２の側面を有し、
前記コイルは、前記第１の磁性鋼組に対向して設置された第１のコイルと、前記第２の磁性鋼組に対向して設置された第２のコイルとを含み、
前記弾性接続具は、第１の弾性接続具と第２の弾性接続具とを含み、前記第１の弾性接続具は、前記第１の側壁に接続された第１の固定部、及び前記第１の固定部から折り曲げ延びると共に前記質量ブロックの第２の側面に接続された第１の接続部を有し、前記第２の弾性接続具は、前記第２の側壁に接続された第２の固定部及び前記第２の固定部から折り曲げ延びると共に前記質量ブロックの第１の側面に接続された第２の接続部を有し、
前記第１の磁性鋼組と前記第１のコイルによって生成された駆動力は、該振動モーターを第１の方向に沿って振動させ、前記第２の磁性鋼組と前記第２のコイルによって生成された駆動力は、該振動モーターを第２の方向に沿って振動させ、前記第１の方向は前記第２の方向と交差する。
【０００７】
好ましくは、前記第１の方向は、前記第１の側壁及び前記第２の側壁の延在方向に平行し、前記第２の方向は、前記第１の方向に垂直する。
【０００８】
好ましくは、前記第１の磁性鋼組の磁化方向は、前記第１の方向に垂直し、前記第２の磁性鋼組の磁化方向は前記第２の方向に垂直する。  
【０００９】
好ましくは、該振動モーターは、前記弾性接続具と前記質量ブロックとの間に設置された複数の減衰部材をさらに含む。
【００１０】
好ましくは、前記第１の接続部と前記第２の接続部とが交差して設置されることにより、前記第１の接続部、第２の接続部及び質量ブロックの間に収容空間が形成され、
前記減衰部材は、前記第１の側壁と前記質量ブロックの第１の側面との間に、及び、前記第２の側壁と前記質量ブロックの第２の側面との間に設置された第１の減衰部材と、前記収容空間内に設置された第２の減衰部材とを含む。
【００１１】
好ましくは、前記第１の減衰部材は、前記質量ブロックに嵌め込むと共に前記質量ブロックと係合する嵌入部を有し、且つ前記第１の減衰部材の、前記第１の側壁又は前記第２の側壁に向かう表面と前記第１の側壁又は前記第２の側壁との間には隙間がある。
【００１２】
好ましくは、前記第１の減衰部材の、前記第１の側壁又は前記第２の側壁に向かう表面は、弧状をなしている。
【００１３】
本発明の有益な効果は、以下の通りである。２つの異なる方向において、それぞれ１つの共振周波数を有し、この２つの異なる共振周波数は、単独で振動することができ、同時に振動することもでき、これにより、異なる振動感を実現することが可能であり、構成が簡単であり、寸法がさらに小さい。  
【図面の簡単な説明】
【００１４】
【図１】本発明に係る振動モーターの構成分解図である。
【００１５】
【図２】本発明に係る振動モーターのカバーが取り外された正面図である。
【発明を実施するための形態】
【００１６】
以下、図面及び実施形態を参照しながら本発明をさらに説明する。
【００１７】
図１及び図２に示すように、振動モーター１００であって、ケーシングと、ケーシング内に設置された振動部材と、ケーシング内に固定されたコイルと、振動部材を弾性支持するための弾性接続具とを含む。ケーシングは、一方の側が開放するハウジング１０２、及び、ハウジング１０２と共に取り囲んで、収容空間を形成するカバー１０１を含み、ハウジング１０２は、対向設置された第１の側壁１０２ａ及び第２の側壁１０２ｂを有する。弾性接続具及び振動部材は、いずれも当該収容空間内に収容され、コイルも当該収容空間内に収容されていると共にカバー１０１に固定接続されている。
【００１８】
振動部材は、質量ブロック１０３と、質量ブロック１０３内に収容された第１の磁性鋼組１０４と、第２の磁性鋼組１０５と、質量ブロック１０３に隣接するポールコア１１２とを備える。質量ブロック１０３は、第１の側壁１０２ａに近い第１の側面１０３ａ及び第２の側壁１０２ｂに近い第２の側面１０３ｂを有する。第１の磁性鋼組１０４及び第２の磁性鋼組１０５は、いずれも三つの並行設置された磁性鋼を含み、且つ第１の磁性鋼組１０４及び第２の磁性鋼組１０５の磁化方向は互いに垂直する。コイルは、第１の磁性鋼組１０４に対向設置された第１のコイル１０６と、第２の磁性鋼組１０５に対向設置された第２のコイル１０７とを含む。第１の磁性鋼組１０４及び第１のコイル１０６によって生成された駆動力は、当該振動モーター１００を第１の方向、即ち図面におけるＸ方向に沿って振動させ、第２の磁性鋼組１０５及び第２のコイル１０７によって生成された駆動力は、当該振動モーター１００を第２の方向、即ち図面におけるＹ方向に沿って振動させる。第１の方向Ｘと第２の方向Ｙは互いに垂直する。
【００１９】
第１のコイル１０６に通電するとき、振動部材は、Ｘ方向に沿って振動し、１つの共振周波数ｆ１を有すると共に相応する振動感を有する。第２のコイル１０７に通電するとき、振動部材は、Ｙ方向に沿って振動し、１つの共振周波数ｆ２を有すると共に相応する振動感を有する。即ち、当該振動モーター１００は、１つの振動部材により、ＸとＹという２つの方向の二周波共振を提供することができる。第１のコイル１０６及び第２のコイル１０７が同時に通電すると、振動モーター１００は、二つの共振周波数で同時に動作する。このとき、Ｘ方向の振動感もあるし、Ｙ方向の振動感もあり、互いに影響せず、特別な振動感を実現することができる。
【００２０】
弾性接続具は、一対の第１の弾性接続具１０８及び一対の第２の弾性接続具１０９を含む。第１の弾性接続具１０８は、第１の側壁１０２ａに接続された第１の固定部１０８ａ、及び、第１の固定部１０８ａから延在すると共に質量ブロック１０３の第２の側面１０３ｂに接続された第１の接続部１０８ｂを有する。第２の弾性接続具１０９は、第２の側壁１０２ｂに接続された第２の固定部１０９ｂ、及び第２の固定部１０９ｂから延在すると共に質量ブロック１０３の第１の側面１０３ａに接続された第２の接続部１０９ａを有する。
【００２１】
当該振動モーター１００は、減衰部材をさらに備える。減衰部材は、Ｙ方向の減衰を提供可能な第１の減衰部材１１０と、Ｘ方向の減衰を提供可能な第２の減衰部材１１１とを含む。
【００２２】
第１の減衰部材１１０は２つがあり、それぞれは第１の側壁１０２ａと質量ブロック１０３の第１の側面１０３ａとの間、及び、第２の側壁１０２ｂと質量ブロックの第２の側面１０３ｂとの間に設置されている。第１の減衰部材１１０は、質量ブロック１０３に嵌め込むと共に質量ブロック１０３と係合する嵌入部１１０ａを有し、且つ第１の減衰部材１１０の、第１の側壁１０２ａ又は第２の側壁１０２ｂに向かう表面と第１の側壁１０２ａ又は第２の側壁１０２ｂとの間に隙間があり、第１の減衰部材１１０の、第１の側壁１０２ａ又は第２の側壁１０２ｂに向かう表面は、弧状をなしている。当該隙間は通常０．１ｍｍであり、振動モーター１００がＸ方向に振動するとき、第１の減衰部材１１０がハウジング１０２の側面と摩擦して騒音を生じることが発生しないようにするためである。
【００２３】
図２により分かるように、第１の接続部１０８ｂ及び第２の接続部１０９ａは、互いに交差し、且つ質量ブロック１０３の一端と共に、収容空間を形成する。第２の減衰部材１１１は当該収容空間内に収容されている。第２の減衰部材１１１の構成は、第１の減衰部材１１０の構成と同様に、質量ブロック１０３に嵌め込む嵌入部と弧状の表面とを有する。
【００２４】
第１の減衰部材１１０及び第２の減衰部材１１１は、それぞれＹ方向及びＸ方向の減衰を提供することができ、且つ振動モーター１００が二つの方向に振動するときの騒音を回避することができる。
【００２５】
本発明に係る振動モーター１００は、２つの異なる方向でそれぞれ１つの共振周波数を有し、この２つの異なる共振周波数は、単独で振動することができ、同時に振動することもでき、これにより、異なる振動感を実現することが可能である。構成が簡単であり、寸法がさらに小さい。
【００２６】
上述したのは本発明の実施形態に過ぎない。明確にすべきなのは、当業者にとっては、本発明の創造性構想を逸脱しない前提で、改善を行うこともでき、これらは全て本発明の保護範囲に含まれる。
【図１】
2017094317.tif 000003
【図２】
2017094317.tif 000004